【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビットストリームの補足拡張情報（ＳＥＩ）ネットワークアブストラクションレイヤ（ＮＡＬ）単位のネットワークアブストラクションレイヤ単位タイプの値を復号することと、ここにおいて前記ＳＥＩ  ＮＡＬ単位の前記ＳＥＩ  ＮＡＬ単位のＮＡＬ単位タイプ値は、前記ＮＡＬ単位が、プレフィックスＳＥＩメッセージを含むプレフィックスＳＥＩ  ＮＡＬ単位を備えることを示すのか、又はサフィックスＳＥＩメッセージを含むサフィックスＳＥＩ  ＮＡＬ単位を備えるかどうかを示し、
前記ＳＥＩ  ＮＡＬ単位が、復号順でアクセス単位の最後のビデオコード化レイヤ（ＶＣＬ）ＮＡＬ単位に追随し得ないプレフィックスＳＥＩ  ＮＡＬ単位であるのか、又は前記ＳＥＩ  ＮＡＬ単位が復号順でアクセス単位の前記最後の単位に追随し得、復号順で前記アクセス単位の最初のＶＣＬ  ＮＡＬ単位に追随しない前記サフィックスＳＥＩ  ＮＡＬ単位であるのかに基づいて及び前記ＳＥＩ  ＮＡＬ単位のデータに基づいて、前記ＳＥＩ  ＮＡＬ単位のデータとを復号することと、
を備える方法。
【請求項２】
前記ＳＥＩ  ＮＡＬ単位が前記サフィックスＳＥＩ  ＮＡＬ単位を備えるとき、アクセス単位から前記サフィックスＳＥＩ  ＮＡＬ単位を抽出することを更に備え、前記アクセス単位は復号順で前記サフィックスＳＥＩ  ＮＡＬ単位より前に前記アクセス単位中に第１のビデオコード化レイヤ（ＶＣＬ）ＮＡＬ単位を少なくとも含む、請求項１に記載の方法。
【請求項３】
前記サフィックスＳＥＩ  ＮＡＬ単位が、復号順で前記アクセス単位中の全てのＶＣＬ  ＮＡＬ単位に追随する、請求項２に記載の方法。
【請求項４】
ビデオデータを復号するための装置であって、
ビットストリームの補足拡張情報（ＳＥＩ）ネットワークアブストラクションレイヤ（ＮＡＬ）単位についてネットワークアブストラクションレイヤ（ＮＡＬ）単位タイプの値を復号するための手段と、
ここにおいて前記ＳＥＩ  ＮＡＬ単位の前記ＮＡＬ単位タイプの値は、前記ＮＡＬ単位が、プレフィックスＳＥＩメッセージを含むプレフィックスＳＥＩ  ＮＡＬ単位、又はサフィックスＳＥＩメッセージを含むサフィックスＳＥＩ  ＮＡＬ単位を備えることを示し、
前記ＳＥＩ  ＮＡＬ単位は、復号順でアクセス単位の最後のビデオコード化レイヤ（ＶＣＬ）ＮＡＬ単位に追随し得ないプレフィックスＳＥＩ  ＮＡＬ単位であるのか、又は前記ＳＥＩ  ＮＡＬ単位が復号順でアクセス単位の前記最後のＶＣＬ  ＮＡＬ単位に追随し、復号順で前記アクセス単位中の最初のＶＣＬ  ＮＡＬ単位に追随しなく、前記ＳＥＩ  ＮＡＬのデータに基づいているサフィックスＳＥＩ  ＮＡＬ単位であるかどうかに基づいて前記ビットストリームのビデオデータを復号するための手段と、
を備える装置。
【請求項５】
前記ＳＥＩ  ＮＡＬ単位が前記サフィックスＳＥＩ  ＮＡＬ単位を備えるとき、復号順で前記サフィックスＳＥＩ  ＮＡＬ単位より前に前記アクセス単位中の最初のビデオコード化レイヤ（ＶＣＬ）ＮＡＬ単位を少なくとも含む前記アクセス単位から前記サフィックスＳＥＩ  ＮＡＬ単位を抽出するための手段を更に備える、請求項４に記載の装置。
【請求項６】
前記サフィックスＳＥＩ  ＮＡＬ単位が、復号順で前記アクセス単位の全てのＶＣＬ  ＮＡＬ単位に追随する、請求項５に記載の装置。
【請求項７】
ビデオデータを含むビットストリームを生成する方法であって、
符号化ビデオデータに関係するデータを含む補足拡張情報（ＳＥＩ）メッセージに対して、ＳＥＩネットワークアブストラクションレイヤ（ＮＡＬ）単位中に前記ＳＥＩメッセージをカプセル化することと、ここにおいて、前記ＳＥＩ  ＮＡＬ単位は、前記ＳＥＩ  ＮＡＬ単位が復号順でアクセス単位中の最後のビデオコード化レイヤ（ＶＣＬ）ＮＡＬ単位に追随し得ないプレフィックスＳＥＩ  ＮＡＬ単位又は復号順でアクセス単位中の前記最後のＶＣＬ  ＮＡＬに追随し得、復号順に前記アクセス単位中の最初のＶＣＬ  ＮＡＬ単位に追随しないサフィックスＳＥＩ  ＮＡＬ単位であるのかどうかと、前記ＳＥＩメッセージがプレフィックスＳＥＩメッセージ又はサフィックスＳＥＩメッセージであるのかどうかとを示すＮＡＬ単位タイプ値を含み、
前記ＳＥＩ  ＮＡＬ単位を少なくとも含むビットストリームを生成することと
を備える方法。
【請求項８】
前記ビットストリームを生成することは、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順で前記アクセス単位中の最初のビデオコード化レイヤ（ＶＣＬ）ＮＡＬ単位に追随するようにアクセス単位に前記ＳＥＩ  ＮＡＬ単位をカプセル化することを備える、請求項７に記載の方法。
【請求項９】
前記ビットストリームを生成することは、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順で前記アクセス単位中の最後のＶＣＬ  ＮＡＬ単位に追随するように前記アクセス単位中に前記ＳＥＩ  ＮＡＬ単位をカプセル化することを更に備える、請求項８に記載の方法。
【請求項１０】
ビデオデータを含むビットストリームを生成するための装置であって、
補足拡張情報（ＳＥＩ）メッセージネットワークアブストラクションレイヤ（ＮＡＬ）単位に符号化ビデオデータに関するデータを含むＳＥＩメッセージをカプセル化するための手段と、ここにおいて、前記ＳＥＩ  ＮＡＬ単位は、前記ＳＥＩ  ＮＡＬ単位が復号順でアクセス単位中の最後のビデオコード化レイヤ（ＶＣＬ）ＮＡＬ単位に追随し得なく、復号順にアクセス単位中の前記最後のＶＣＬ  ＮＡＬ単位に追随し得、復号順で前記アクセス単位中の最初のＶＣＬ  ＮＡＬに追随し得ないプレフィックスＳＥＩ  ＮＡＬ単位又は復号順でアクセス単位中の前記最後のＶＣＬ  ＮＡＬ単位に追随し得、復号順に前記アクセス単位中の最初のＶＣＬ  ＮＡＬ単位に追随しないサフィックスＳＥＩ  ＮＡＬ単位であるのかどうかを示すＮＡＬ単位タイプ値を含み、
前記ＳＥＩ  ＮＡＬ単位を少なくとも含むビットストリームを生成するための手段と、
を備える装置。
【請求項１１】
前記ビットストリームを生成するための前記手段は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順でアクセス単位（ＡＵ）中の第１のビデオコード化レイヤ（ＶＣＬ）ＮＡＬ単位に追随するように前記アクセス単位中に前記ＳＥＩ  ＮＡＬ単位をカプセル化するための手段を備える、請求項１０に記載の装置。
【請求項１２】
前記ビットストリームを生成するための手段は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、更に、復号順で前記アクセス単位中の最後のＶＣＬ  ＮＡＬ単位に追随するように前記ＡＵ中に前記ＳＥＩ  ＮＡＬ単位をカプセル化するための手段を更に備える、請求項１１に記載の装置。
【請求項１３】
実行されると、プロセッサに請求項１〜３及び７〜９のいずれか１項に記載の方法を実行させる命令を記憶したコンピュータ可読記憶媒体。
【手続補正２】
【補正対象書類名】明細書
【補正対象項目名】０１７１
【補正方法】変更
【補正の内容】
【０１７１】
[0169]様々な例について説明した。これら及び他の例は以下の特許請求の範囲内に入る。
以下に本件出願当初の特許請求の範囲に記載された発明を付記する。
［１］  ビデオデータを復号する方法であって、ビットストリームの補足拡張情報（ＳＥＩ）ネットワークアブストラクションレイヤ（ＮＡＬ）単位について、前記ＳＥＩ  ＮＡＬ単位のＮＡＬ単位タイプ値は、前記ＮＡＬ単位が、プレフィックスＳＥＩメッセージを含むプレフィックスＳＥＩ  ＮＡＬ単位を備えることを示すのか、又はサフィックスＳＥＩメッセージを含むサフィックスＳＥＩ  ＮＡＬ単位を備えることを示すのかを決定することと、前記ＳＥＩ  ＮＡＬ単位が、前記プレフィックスＳＥＩ  ＮＡＬ単位であるのか、又は前記サフィックスＳＥＩ  ＮＡＬ単位であるのかに基づいて前記ＳＥＩ  ＮＡＬ単位に続く前記ビットストリームのビデオデータと、前記ＳＥＩ  ＮＡＬ単位のデータとを復号することとを備える方法。
［２］  前記ＳＥＩ  ＮＡＬ単位が前記サフィックスＳＥＩ  ＮＡＬ単位を備えるとき、復号順序で前記サフィックスＳＥＩ  ＮＡＬ単位より前にアクセス単位（ＡＵ）中に第１のビデオコード化レイヤ（ＶＣＬ）ＮＡＬ単位を少なくとも含む前記ＡＵから前記サフィックスＳＥＩ  ＮＡＬ単位を抽出することをさらに備える、［１］に記載の方法。
［３］  前記サフィックスＳＥＩ  ＮＡＬ単位が、復号順序で前記ＡＵ中の全てのＶＣＬ  ＮＡＬ単位の後にくる、［２］に記載の方法。
［４］  ビデオデータを復号するための装置であって、ビットストリームの補足拡張情報（ＳＥＩ）ネットワークアブストラクションレイヤ（ＮＡＬ）単位について、前記ＳＥＩ  ＮＡＬ単位のＮＡＬ単位タイプ値は、前記ＮＡＬ単位が、プレフィックスＳＥＩメッセージを含むプレフィックスＳＥＩ  ＮＡＬ単位を備えることを示すのか、又はサフィックスＳＥＩメッセージを含むサフィックスＳＥＩ  ＮＡＬ単位を備えることを示すのかを決定することと、前記ＳＥＩ  ＮＡＬ単位が、前記プレフィックスＳＥＩ  ＮＡＬ単位であるのか、又は前記サフィックスＳＥＩ  ＮＡＬ単位であるのかに基づいて前記ＳＥＩ  ＮＡＬ単位に続く前記ビットストリームのビデオデータと、前記ＳＥＩ  ＮＡＬ単位のデータとを復号することとを行うように構成されたプロセッサを備える装置。
［５］  前記プロセッサは、前記ＳＥＩ  ＮＡＬ単位が前記サフィックスＳＥＩ  ＮＡＬ単位を備えるとき、復号順序で前記サフィックスＳＥＩ  ＮＡＬ単位より前にアクセス単位（ＡＵ）中に第１のビデオコード化レイヤ（ＶＣＬ）ＮＡＬ単位を少なくとも含む前記ＡＵから前記サフィックスＳＥＩ  ＮＡＬ単位を抽出するように構成された、［４］に記載の装置。
［６］  前記サフィックスＳＥＩ  ＮＡＬ単位が、復号順序で前記ＡＵ中の全てのＶＣＬ  ＮＡＬ単位の後にくる、［５］に記載の装置。
［７］  ビデオデータを復号するための装置であって、ビットストリームの補足拡張情報（ＳＥＩ）ネットワークアブストラクションレイヤ（ＮＡＬ）単位について、前記ＳＥＩ  ＮＡＬ単位のＮＡＬ単位タイプ値は、前記ＮＡＬ単位が、プレフィックスＳＥＩメッセージを含むプレフィックスＳＥＩ  ＮＡＬ単位を備えることを示すのか、又はサフィックスＳＥＩメッセージを含むサフィックスＳＥＩ  ＮＡＬ単位を備えることを示すのかを決定するための手段と、前記ＳＥＩ  ＮＡＬ単位が、前記プレフィックスＳＥＩ  ＮＡＬ単位であるのか、又は前記サフィックスＳＥＩ  ＮＡＬ単位であるのかに基づいて前記ＳＥＩ  ＮＡＬ単位に続く前記ビットストリームのビデオデータと、前記ＳＥＩ  ＮＡＬ単位のデータとを復号するための手段とを備える装置。
［８］  前記ＳＥＩ  ＮＡＬ単位が前記サフィックスＳＥＩ  ＮＡＬ単位を備えるとき、復号順序で前記サフィックスＳＥＩ  ＮＡＬ単位より前にアクセス単位（ＡＵ）中に第１のビデオコード化レイヤ（ＶＣＬ）ＮＡＬ単位を少なくとも含む前記ＡＵから前記サフィックスＳＥＩ  ＮＡＬ単位を抽出するための手段をさらに備える、［７］に記載の装置。
［９］  前記サフィックスＳＥＩ  ＮＡＬ単位が、復号順序で前記ＡＵ中の全てのＶＣＬ  ＮＡＬ単位の後にくる、［８］に記載の装置。
［１０］  実行されたとき、プロセッサに、ビットストリームの補足拡張情報（ＳＥＩ）ネットワークアブストラクションレイヤ（ＮＡＬ）単位について、前記ＳＥＩ  ＮＡＬ単位のＮＡＬ単位タイプ値は、前記ＮＡＬ単位が、プレフィックスＳＥＩメッセージを含むプレフィックスＳＥＩ  ＮＡＬ単位を備えることを示すのか、又はサフィックスＳＥＩメッセージを含むサフィックスＳＥＩ  ＮＡＬ単位を備えることを示すのかを決定することと、前記ＳＥＩ  ＮＡＬ単位が、前記プレフィックスＳＥＩ  ＮＡＬ単位であるのか、又は前記サフィックスＳＥＩ  ＮＡＬ単位であるのかに基づいて前記ＳＥＩ  ＮＡＬ単位に続く前記ビットストリームのビデオデータと、前記ＳＥＩ  ＮＡＬ単位のデータとを復号することとを行わせる命令を記憶したコンピュータ可読記憶媒体。
［１１］  前記ＳＥＩ  ＮＡＬ単位が前記サフィックスＳＥＩ  ＮＡＬ単位を備えるとき、復号順序で前記サフィックスＳＥＩ  ＮＡＬ単位より前にアクセス単位（ＡＵ）中に第１のビデオコード化レイヤ（ＶＣＬ）ＮＡＬ単位を少なくとも含む前記ＡＵから前記サフィックスＳＥＩ  ＮＡＬ単位を抽出することを前記プロセッサに行わせる命令をさらに備える、［１０］に記載のコンピュータ可読記憶媒体。
［１２］  前記サフィックスＳＥＩ  ＮＡＬ単位が、復号順序で前記ＡＵ中の全てのＶＣＬ  ＮＡＬ単位の後にくる、［１１］に記載のコンピュータ可読記憶媒体。
［１３］  ビデオデータを含むビットストリームを生成する方法であって、補足拡張情報（ＳＥＩ）メッセージがプレフィックスＳＥＩメッセージであるのか又はサフィックスＳＥＩメッセージであるのかを決定することと、ここにおいて、前記ＳＥＩメッセージが、符号化ビデオデータに関係するデータを含む、ＳＥＩ  ＮＡＬ単位中に前記ＳＥＩメッセージをカプセル化することと、ここにおいて、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含む、前記ＳＥＩ  ＮＡＬ単位を少なくとも含むビットストリームを生成することとを備える方法。
［１４］  前記符号化ビットストリームを生成することは、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順序でアクセス単位（ＡＵ）中の第１のビデオコード化レイヤ（ＶＣＬ）ＮＡＬ単位の後にくるように前記ＡＵ中に前記ＳＥＩ  ＮＡＬ単位をカプセル化することを備える、［１３］に記載の方法。
［１５］  前記ビットストリームを生成することは、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順序で前記ＡＵ中の最後のＶＣＬ  ＮＡＬ単位の後にくるように前記ＡＵ中に前記ＳＥＩ  ＮＡＬ単位をカプセル化することを更に備える、［１４］に記載の方法。
［１６］  ビデオデータを含むビットストリームを生成するための装置であって、補足拡張情報（ＳＥＩ）メッセージがプレフィックスＳＥＩメッセージであるのか又はサフィックスＳＥＩメッセージであるのかを決定することと、ここにおいて、前記ＳＥＩメッセージが、符号化ビデオデータに関係するデータを含む、ＳＥＩ  ＮＡＬ単位中に前記ＳＥＩメッセージをカプセル化することと、ここにおいて、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含む、前記ＳＥＩ  ＮＡＬ単位を少なくとも含むビットストリームを生成することとを行うように構成されたプロセッサを備える装置。
［１７］  前記プロセッサは、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順序でアクセス単位（ＡＵ）中の第１のビデオコード化レイヤ（ＶＣＬ）ＮＡＬ単位の後にくるように前記ＡＵ中に前記ＳＥＩ  ＮＡＬ単位をカプセル化するように構成された、［１６］に記載の装置。
［１８］  前記プロセッサは、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順序で前記ＡＵ中の最後のＶＣＬ  ＮＡＬ単位の後にくるように前記ＡＵ中に前記ＳＥＩ  ＮＡＬ単位をカプセル化するように構成された、［１７］に記載の装置。
［１９］  ビデオデータを含むビットストリームを生成するための装置であって、補足拡張情報（ＳＥＩ）メッセージがプレフィックスＳＥＩメッセージであるのか又はサフィックスＳＥＩメッセージであるのかを決定するための手段と、前記ＳＥＩメッセージが、符号化ビデオデータに関係するデータを含む、ＳＥＩ  ＮＡＬ単位中に前記ＳＥＩメッセージをカプセル化するための手段と、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含む、前記ＳＥＩ  ＮＡＬ単位を少なくとも含むビットストリームを生成するための手段とを備える装置。
［２０］  前記ビットストリームを生成するための前記手段は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順序でアクセス単位（ＡＵ）中の第１のビデオコード化レイヤ（ＶＣＬ）ＮＡＬ単位の後にくるように前記ＡＵ中に前記ＳＥＩ  ＮＡＬ単位をカプセル化するための手段を備える、［１９］に記載の装置。
［２１］  前記ビットストリームを生成するための前記手段は、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順序で前記ＡＵ中の最後のＶＣＬ  ＮＡＬ単位の後にくるように前記ＡＵ中に前記ＳＥＩ  ＮＡＬ単位をカプセル化するための手段を更に備える、［２０］に記載の装置。
［２２］  実行されたとき、プロセッサに、補足拡張情報（ＳＥＩ）メッセージがプレフィックスＳＥＩメッセージであるのか又はサフィックスＳＥＩメッセージであるのかを決定することと、ここにおいて、前記ＳＥＩメッセージが、符号化ビデオデータに関係するデータを含む、ＳＥＩ  ＮＡＬ単位中に前記ＳＥＩメッセージをカプセル化することと、ここにおいて、前記ＳＥＩ  ＮＡＬ単位は、前記ＳＥＩ  ＮＡＬ単位がプレフィックスＳＥＩ  ＮＡＬ単位であるのか又はサフィックスＳＥＩ  ＮＡＬ単位であるのかと、前記ＳＥＩメッセージがプレフィックスＳＥＩメッセージであるのか又はサフィックスＳＥＩメッセージであるのかとを示すＮＡＬ単位タイプ値を含む、前記ＳＥＩ  ＮＡＬ単位を少なくとも含むビットストリームを生成することとを行わせる命令を記憶したコンピュータ可読記憶媒体。
［２３］  前記ビットストリームを生成することを前記プロセッサに行わせる前記命令は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順序でアクセス単位（ＡＵ）中の第１のビデオコード化レイヤ（ＶＣＬ）ＮＡＬ単位の後にくるように前記ＡＵ中に前記ＳＥＩ  ＮＡＬ単位をカプセル化することを前記プロセッサに行わせる命令を備える、［２２］に記載のコンピュータ可読記憶媒体。
［２４］  前記ビットストリームを生成することを前記プロセッサに行わせる前記命令は、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順序で前記ＡＵ中の最後のＶＣＬ  ＮＡＬ単位の後にくるように前記ＡＵ中に前記ＳＥＩ  ＮＡＬ単位をカプセル化することを前記プロセッサに行わせる命令を更に備える、［２３］に記載のコンピュータ可読記憶媒体。